(57)【要約】【課題】プロセスカートリッジ枠体の部品を出来る限り共用しつつ、簡単な構成にて確実にプロセスカートリッジに非互換性を持たせる。【解決手段】プロセスカートリッジＢの長手端部に形成された脚部１０ｆ３の形状と、その脚部１０ｆ３の外側に突出部１０ｆ４を設ける構成により、プロセスカートリッジＢの長手方向両端部部品の変更だけで、不適装置本体への誤挿入防止（非互換）を容易に可能とする。【選択図】　図５
2004125954.tif 000002
【特許請求の範囲】
【請求項１】
ガイド部材を有する電子写真画像形成装置本体に着脱可能なプロセスカートリッジにおいて、
カートリッジ枠体と、
電子写真感光体ドラムと、
前記電子写真感光体ドラムに作用するプロセス手段と、
前記カートリッジ枠体に設けられ、前記プロセスカートリッジを前記電子写真画像形成装置本体へ装着する際に、前記ガイド部材と当接して、前記プロセスカートリッジを前記電子写真画像形成装置本体へ装着する方向のガイドを行う突出部であって、前記プロセスカートリッジを前記電子写真画像形成装置本体とは機能の異なる電子写真画像形成装置本体へ装着する際には、前記機能の異なる電子写真画像形成装置本体に設けられた本体フレームと当接して、前記プロセスカートリッジの装着を阻止する突出部と、
を有することを特徴とするプロセスカートリッジ。
【請求項２】
前記突出部は、
前記電子写真感光体ドラムの軸線方向における前記カートリッジ枠体の一端側に設けられ、前記プロセスカートリッジを前記電子写真画像形成装置本体へ装着する際に、前記ガイド部材と当接して、前記装着方向のガイドを行う第一突出部と、
前記電子写真感光体ドラムの軸線方向における前記カートリッジ枠体の他端側に設けられ、前記プロセスカートリッジを前記電子写真画像形成装置本体へ装着する際に、前記ガイド部材と当接して、前記装着方向のガイドを行う第二突出部と、
を有し、
前記プロセスカートリッジを前記電子写真画像形成装置本体とは機能の異なる電子写真画像形成装置本体へ装着する際には、前記第一突出部と前記第二突出部の少なくともいずれか一方が、前記機能の異なる電子写真画像形成装置本体に設けられた本体フレームと当接して、前記プロセスカートリッジの装着を阻止することを特徴とする請求項１に記載のプロセスカートリッジ。
【請求項３】
前記突出部は、前記プロセスカートリッジを前記電子写真画像形成装置本体へ装着する際に、前記カートリッジ枠体から下方に突出して設けられていることを特徴とする請求項１又は２に記載のプロセスカートリッジ。
【請求項４】
前記突出部は、前記プロセスカートリッジを前記電子写真画像形成装置本体から取り出して載置面に載置させた際に、前記プロセスカートリッジの姿勢を保持するための突起であることを特徴とする請求項１、２又は３に記載のプロセスカートリッジ。
【請求項５】
前記突出部の少なくとも一方は、前記プロセスカートリッジを載置する際に前記プロセスカートリッジを支えるために設けられた一端側の脚部の外側に、前記脚部と間隔を有して設けられ、
前記突出部は、前記プロセスカートリッジが前記電子写真画像形成装置本体に装着される際には、前記プロセスカートリッジが前記電子写真画像形成装置本体内へ侵入することを妨げないことを特徴とする請求項２、３又は４に記載のプロセスカートリッジ。
【請求項６】
プロセスカートリッジを着脱可能であって、記録媒体に画像を形成するための電子写真画像形成装置において、
ガイド部材と、
カートリッジ枠体と、電子写真感光体ドラムと、前記電子写真感光体ドラムに作用するプロセス手段と、前記カートリッジ枠体に設けられ、前記プロセスカートリッジを前記電子写真画像形成装置本体へ装着する際に、前記ガイド部材と当接して、前記プロセスカートリッジを前記電子写真画像形成装置本体へ装着する方向のガイドを行う突出部であって、前記プロセスカートリッジを前記電子写真画像形成装置本体とは機能の異なる電子写真画像形成装置本体へ装着する際には、前記機能の異なる電子写真画像形成装置本体に設けられた本体フレームと当接して、前記プロセスカートリッジの装着を阻止する突出部と、を有するプロセスカートリッジを取り外し可能に装着するための装着手段と、
前記記録媒体を搬送するための搬送手段と、
を有することを特徴とする画像形成装置。
【請求項７】
前記電子写真画像形成装置は、前記機能の異なる電子写真画像形成装置とは、前記記録媒体に画像を形成するスピードが異なることを特徴とする請求項６に記載の画像形成装置。
【請求項８】
電子写真画像形成装置本体にプロセスカートリッジを取り外し可能に装着するプロセスカートリッジ装着システムにおいて、
前記電子写真画像形成装置本体が、
ガイド部材を有し、
前記プロセスカートリッジが、
カートリッジ枠体と、
電子写真感光体ドラムと、
前記電子写真感光体ドラムに作用するプロセス手段と、
前記カートリッジ枠体に設けられ、前記プロセスカートリッジを前記電子写真画像形成装置本体へ装着する際に、前記ガイド部材と当接して、前記プロセスカートリッジを前記電子写真画像形成装置本体へ装着する方向のガイドを行う突出部であって、前記プロセスカートリッジを前記電子写真画像形成装置本体とは機能の異なる電子写真画像形成装置本体へ装着する際には、前記機能の異なる電子写真画像形成装置本体に設けられた本体フレームと当接して、前記プロセスカートリッジの装着を阻止する突出部と、
を有し、
前記プロセスカートリッジを前記電子写真画像形成装置本体とは機能の異なる電子写真画像形成装置本体へ装着する際には、前記機能の異なる電子写真画像形成装置本体に設けられた本体フレームと前記突出部とが当接して、前記プロセスカートリッジの装着を阻止し、
前記プロセスカートリッジを機能が一致する前記電子写真画像形成装置本体へ装着する際には、前記突出部が前記ガイド部材によって前記装着方向にガイドされて、前記プロセスカートリッジが装着手段に装着されることを特徴とするプロセスカートリッジ装着システム。
【請求項９】
前記突出部は、
前記電子写真感光体ドラムの軸線方向における前記カートリッジ枠体の一端側に設けられ、前記プロセスカートリッジを前記電子写真画像形成装置本体へ装着する際に、前記ガイド部材と当接して、前記装着方向のガイドを行う第一突出部と、
前記電子写真感光体ドラムの軸線方向における前記カートリッジ枠体の他端側に設けられ、前記プロセスカートリッジを前記電子写真画像形成装置本体へ装着する際に、前記ガイド部材と当接して、前記装着方向のガイドを行う第二突出部と、
を有し、
前記プロセスカートリッジを前記電子写真画像形成装置本体とは機能の異なる電子写真画像形成装置本体へ装着する際には、前記第一突出部と前記第二突出部の少なくともいずれか一方が、前記機能の異なる電子写真画像形成装置本体に設けられた本体フレームと当接して、前記プロセスカートリッジの装着を阻止することを特徴とする請求項８に記載のプロセスカートリッジ装着システム。
【請求項１０】
前記突出部は、前記プロセスカートリッジを前記電子写真画像形成装置本体へ装着した状態において、前記カートリッジ枠体から下方に突出して設けられていることを特徴とする請求項８又は９に記載のプロセスカートリッジ装着システム。
【請求項１１】
前記突出部は、前記プロセスカートリッジを前記電子写真画像形成装置本体の外に置いた際に、前記プロセスカートリッジの姿勢を保持するための突起であることを特徴とする請求項８、９又は１０に記載のプロセスカートリッジ装着システム。
【請求項１２】
前記電子写真画像形成装置本体は、前記機能の異なる電子写真画像形成装置とは、記録媒体に画像を形成するスピードが異なることを特徴とする請求項８乃至１１のいずれか１項に記載のプロセスカートリッジ装着システム。
【請求項１３】
前記突出部の少なくとも一方は、前記プロセスカートリッジを載置する際に前記プロセスカートリッジを支えるために設けられた一端側の脚部の外側に、前記脚部と間隔を有して設けられ、
前記突出部は、前記プロセスカートリッジが前記電子写真画像形成装置本体に装着される際には、前記プロセスカートリッジが前記電子写真画像形成装置本体内へ侵入することを妨げないことを特徴とする請求項９乃至１２のいずれか１項に記載のプロセスカートリッジ装着システム。
【発明の詳細な説明】
【０００１】
【発明の属する技術分野】
本発明は、例えば複写機、レーザービームプリンタ（ＬＢＰ）等の電子写真画像形成装置において、装置本体に対して着脱可能に設けられて画像形成部を構成するプロセスカートリッジと、このプロセスカートリッジを着脱する画像形成装置に関するものである。
【０００２】
なお、プロセスカートリッジは、電子写真感光体と、少なくとも１つのプロセス手段を備えたものである。ここでプロセス手段としては、例えば電子写真感光体を帯電させる帯電手段、電子写真感光体に形成された静電潜像を現像する現像手段、電子写真感光体に残留するトナーをクリーニングするためのクリーニング手段等がある。
【０００３】
【従来の技術】
従来、小型複写機、レーザービームプリンタ（以下ＬＢＰと称す）等の電子写真方式の画像形成装置において、その画像形成部を構成するプロセスカートリッジが装置本体に対して着脱可能に設置されており、プロセスカートリッジの交換を可能にしている（特許文献１〜４参照）。
【０００４】
【特許文献１】
特開平０８−１０６２０７号公報
【特許文献２】
特開平０８−１７９６２６号公報
【特許文献３】
特開平１０−２２２０４１号公報
【特許文献４】
特開平１０−２２８２２２号公報
【０００５】
ここで、通常、電子写真画像形成装置では、指定された特定のプロセスカートリッジのみを適正に装着する事ができる構造になっている。
【０００６】
即ち、指定されていないプロセスカートリッジを装置に対して装着しようとする場合に、プロセスカートリッジあるいは装置本体において、そのプロセスカートリッジの装着が行えない様にするカートリッジ非互換性を有する構造になっている。
【０００７】
それは、装置の仕様、型式等が異なると、プロセスカートリッジの機能が異なる事が多く、その装置における画像形成に適合しないからである。
【０００８】
万一、プロセスカートリッジの誤装着が行われると、良好な画像形成が行われず、更には装置の故障を招く原因となる場合がある。
【０００９】
そこで、従来から画像形成装置において前記非互換性を具備させる為の多くの構成が提案され実施されている。例えば、互換性判別の為のセンサを用いる方法、或いは、適合するプロセスカートリッジの被駆動ギアのみと噛み合い可能とする方法等が知られている。
【００１０】
【発明が解決しようとする課題】
しかしながら、従来例のように互換性判断の為のセンサを用いると高価な判別用センサを必要とするのみならず、プロセスカートリッジ側にもその判別用センサを動作させる為の部品を取り付ける必要があり、コストの上昇を招くという欠点が生じる。
【００１１】
また、ギアの噛み合わせの如何により被互換性を持たせる様にする構成のものであれば、プロセスカートリッジの適正位置近傍にて互換性が判別される為、互換性判別のタイミングが遅く、カートリッジ又は装置本体の破損のおそれが生じる。
【００１２】
更に、この破損を回避する為に非互換性のための構造は確実かつ強固なものにする必要があるが、この構成を実現する為には装置の仕様により各プロセスカートリッジに対応してギアの歯形状を変える必要がある。
【００１３】
本発明は上記従来技術に鑑みてなされたもので、その目的とするところは、プロセスカートリッジ枠体の部品を出来る限り共用しつつ、簡単な構成にて確実にプロセスカートリッジに非互換性を持たせるプロセスカートリッジ、画像形成装置及びプロセスカートリッジ装着システムを提供することにある。
【００１４】
【課題を解決するための手段】
上記目的を達成するために本発明のプロセスカートリッジにあっては、ガイド部材を有する電子写真画像形成装置本体に着脱可能なプロセスカートリッジにおいて、カートリッジ枠体と、電子写真感光体ドラムと、前記電子写真感光体ドラムに作用するプロセス手段と、前記カートリッジ枠体に設けられ、前記プロセスカートリッジを前記電子写真画像形成装置本体へ装着する際に、前記ガイド部材と当接して、前記プロセスカートリッジを前記電子写真画像形成装置本体へ装着する方向のガイドを行う突出部であって、前記プロセスカートリッジを前記電子写真画像形成装置本体とは機能の異なる電子写真画像形成装置本体へ装着する際には、前記機能の異なる電子写真画像形成装置本体に設けられた本体フレームと当接して、前記プロセスカートリッジの装着を阻止する突出部と、を有することを特徴とする。
【００１５】
前記突出部は、前記電子写真感光体ドラムの軸線方向における前記カートリッジ枠体の一端側に設けられ、前記プロセスカートリッジを前記電子写真画像形成装置本体へ装着する際に、前記ガイド部材と当接して、前記装着方向のガイドを行う第一突出部と、前記電子写真感光体ドラムの軸線方向における前記カートリッジ枠体の他端側に設けられ、前記プロセスカートリッジを前記電子写真画像形成装置本体へ装着する際に、前記ガイド部材と当接して、前記装着方向のガイドを行う第二突出部と、を有し、前記プロセスカートリッジを前記電子写真画像形成装置本体とは機能の異なる電子写真画像形成装置本体へ装着する際には、前記第一突出部と前記第二突出部の少なくともいずれか一方が、前記機能の異なる電子写真画像形成装置本体に設けられた本体フレームと当接して、前記プロセスカートリッジの装着を阻止することも好適である。
【００１６】
前記突出部は、前記プロセスカートリッジを前記電子写真画像形成装置本体へ装着する際に、前記カートリッジ枠体から下方に突出して設けられていることも好適である。
【００１７】
前記突出部は、前記プロセスカートリッジを前記電子写真画像形成装置本体から取り出して載置面に載置させた際に、前記プロセスカートリッジの姿勢を保持するための突起であることも好適である。
【００１８】
前記突出部の少なくとも一方は、前記プロセスカートリッジを載置する際に前記プロセスカートリッジを支えるために設けられた一端側の脚部の外側に、前記脚部と間隔を有して設けられ、前記突出部は、前記プロセスカートリッジが前記電子写真画像形成装置本体に装着される際には、前記プロセスカートリッジが前記電子写真画像形成装置本体内へ侵入することを妨げないことが好適である。
【００１９】
また、本発明の画像形成装置にあっては、プロセスカートリッジを着脱可能であって、記録媒体に画像を形成するための電子写真画像形成装置において、ガイド部材と、カートリッジ枠体と、電子写真感光体ドラムと、前記電子写真感光体ドラムに作用するプロセス手段と、前記カートリッジ枠体に設けられ、前記プロセスカートリッジを前記電子写真画像形成装置本体へ装着する際に、前記ガイド部材と当接して、前記プロセスカートリッジを前記電子写真画像形成装置本体へ装着する方向のガイドを行う突出部であって、前記プロセスカートリッジを前記電子写真画像形成装置本体とは機能の異なる電子写真画像形成装置本体へ装着する際には、前記機能の異なる電子写真画像形成装置本体に設けられた本体フレームと当接して、前記プロセスカートリッジの装着を阻止する突出部と、を有するプロセスカートリッジを取り外し可能に装着するための装着手段と、前記記録媒体を搬送するための搬送手段と、を有することを特徴とする。
【００２０】
前記電子写真画像形成装置は、前記機能の異なる電子写真画像形成装置とは、前記記録媒体に画像を形成するスピードが異なることも好適である。
【００２１】
本発明のプロセスカートリッジ装着システムにあっては、電子写真画像形成装置本体にプロセスカートリッジを取り外し可能に装着するプロセスカートリッジ装着システムにおいて、前記電子写真画像形成装置本体が、ガイド部材を有し、前記プロセスカートリッジが、カートリッジ枠体と、電子写真感光体ドラムと、前記電子写真感光体ドラムに作用するプロセス手段と、前記カートリッジ枠体に設けられ、前記プロセスカートリッジを前記電子写真画像形成装置本体へ装着する際に、前記ガイド部材と当接して、前記プロセスカートリッジを前記電子写真画像形成装置本体へ装着する方向のガイドを行う突出部であって、前記プロセスカートリッジを前記電子写真画像形成装置本体とは機能の異なる電子写真画像形成装置本体へ装着する際には、前記機能の異なる電子写真画像形成装置本体に設けられた本体フレームと当接して、前記プロセスカートリッジの装着を阻止する突出部と、を有し、前記プロセスカートリッジを前記電子写真画像形成装置本体とは機能の異なる電子写真画像形成装置本体へ装着する際には、前記機能の異なる電子写真画像形成装置本体に設けられた本体フレームと前記突出部とが当接して、前記プロセスカートリッジの装着を阻止し、前記プロセスカートリッジを機能が一致する前記電子写真画像形成装置本体へ装着する際には、前記突出部が前記ガイド部材によって前記装着方向にガイドされて、前記プロセスカートリッジが装着手段に装着されることを特徴とする。
【００２２】
前記突出部は、前記電子写真感光体ドラムの軸線方向における前記カートリッジ枠体の一端側に設けられ、前記プロセスカートリッジを前記電子写真画像形成装置本体へ装着する際に、前記ガイド部材と当接して、前記装着方向のガイドを行う第一突出部と、前記電子写真感光体ドラムの軸線方向における前記カートリッジ枠体の他端側に設けられ、前記プロセスカートリッジを前記電子写真画像形成装置本体へ装着する際に、前記ガイド部材と当接して、前記装着方向のガイドを行う第二突出部と、を有し、前記プロセスカートリッジを前記電子写真画像形成装置本体とは機能の異なる電子写真画像形成装置本体へ装着する際には、前記第一突出部と前記第二突出部の少なくともいずれか一方が、前記機能の異なる電子写真画像形成装置本体に設けられた本体フレームと当接して、前記プロセスカートリッジの装着を阻止することも好適である。
【００２３】
前記突出部は、前記プロセスカートリッジを前記電子写真画像形成装置本体へ装着した状態において、前記カートリッジ枠体から下方に突出して設けられていることも好適である。
【００２４】
前記突出部は、前記プロセスカートリッジを前記電子写真画像形成装置本体の外に置いた際に、前記プロセスカートリッジの姿勢を保持するための突起であることも好適である。
【００２５】
前記電子写真画像形成装置は、前記機能の異なる電子写真画像形成装置とは、記録媒体に画像を形成するスピードが異なることも好適である。
【００２６】
前記突出部の少なくとも一方は、前記プロセスカートリッジを載置する際に前記プロセスカートリッジを支えるために設けられた一端側の脚部の外側に、前記脚部と間隔を有して設けられ、前記突出部は、前記プロセスカートリッジが前記適正な装置本体に装着される際には、前記プロセスカートリッジが前記適正な装置本体内へ侵入することを妨げないことも好適である。
【００２７】
本発明の作用は、プロセスカートリッジの長手方向端部に突出部を設け、前記プロセスカートリッジに対応した適正な電子写真画像形成装置本体にこの突出部に対応したガイド部材を設けることにより、スムースなカートリッジ挿入操作が実現する。
【００２８】
また、前記プロセスカートリッジに対応していない機能の異なる不適な電子写真画像形成装置本体に前記プロセスカートリッジを挿入しようとしても前記突出部が装置本体の本体カートリッジ挿入口の本体フレームに突き当たるため、その時点にてそれ以上挿入できなくなり誤挿入が防止される。
【００２９】
また、前記適正な画像形成装置本体に不適なプロセスカートリッジを挿入しようとしても装置本体の本体カートリッジ挿入口のガイド部材に突き当たるため、その時点にてそれ以上挿入できなくなり誤挿入が防止される、又は前記不適なプロセスカートリッジがガイド部材にガイドされないため、挿入時に位置決めできなくなり誤挿入が防止される。
【００３０】
また、前記適正な画像形成装置本体と前記不適な画像形成装置本体とは、画像形成スピード機能が異なり、本発明の構成にて誤挿入防止を実現する。
【００３１】
また、前記第一突出部は前記プロセスカートリッジ長手方向一端側に設けられた脚部の外側に設けた。前記第二突出部は前記プロセスカートリッジ長手方向他端側に設けられた脚部の外側にこの脚部から間隔を有して設けた。即ち、前記第二突出部は脚部とで二股脚形状として設けた。
【００３２】
また、前記第一突出部及び前記第二突出部は、前記プロセスカートリッジの中央部を形成している枠体とは別に、長手端部に配置されている部品に形成した。
【００３３】
以上の構成により、プロセスカートリッジの枠体の大きさを変えずに非互換（誤挿入防止対応）を実現し、本プロセスカートリッジ組立工程の流用を容易とし、本プロセスカートリッジの梱包の流用までも容易に実現できた。
【００３４】
【発明の実施の形態】
次に本発明に係る実施の形態を図面を参照して詳細に説明する。画像形成装置の実施の形態としてレーザービームプリンタについて説明する。
【００３５】
以下の説明において、プロセスカートリッジの長手方向とは、プロセスカートリッジを装置本体へ着脱する方向と交差する方向（略直交する方向）であり、記録媒体の表面と平行であり、且つ、記録媒体の搬送方向と交差（略直交）する方向である。又、左右とは記録媒体の搬送方向に従って記録媒体を上から見て右又は左である。また、プロセスカートリッジの上面とは、プロセスカートリッジを装置本体へ装着した状態で上方に位置する面であり、下面とは下方に位置する面である。
【００３６】
ここでは説明の順序として、先ずプロセスカートリッジ及びこれを用いる電子写真画像形成装置の全体構成を説明し、次にプロセスカートリッジを電子写真画像形成装置本体に着脱するためのプロセスカートリッジ装着機構の構成について説明する。そして最後に不適プロセスカートリッジの誤挿入防止機構の構成を説明する。
【００３７】
プロセスカートリッジ及びそれを着脱可能な電子写真画像形成装置について、図１〜図３を参照して具体的に説明する。なお、図１はプロセスカートリッジを装着した電子写真画像形成装置の構成模式説明図、図２は電子写真画像形成装置の開閉カバー近傍を示す説明図、図３はプロセスカートリッジの構成模式説明図である。
【００３８】
（全体構成）
この電子写真画像形成装置（レーザービームプリンタ、以下「画像形成装置」という）Ａは、図１に示すように、光学手段としての光学系１から画像情報に基づいた情報光をドラム形状の電子写真感光体ドラム（以下「感光体ドラム」という）７へ照射して感光体ドラム７に静電潜像を形成し、この静電潜像を現像剤（以下「トナー」という）で現像してトナー像を形成する。
【００３９】
そして、トナー像の形成と同期して、記録媒体（記録紙、ＯＨＰシート、布等）２をカセット３ａからピックアップローラ３ｂ及びこれに圧接する圧接部材３ｃで一枚ずつ分離給送し、プロセスカートリッジＢの感光体ドラム７に形成したトナー像を転写手段としての転写ローラ４に電圧印加することによって記録媒体２に転写し、その記録媒体２を搬送ガイド３ｆによって定着手段５へと搬送する。
【００４０】
この定着手段５は駆動ローラ５ａと、ヒータ５ｄを内蔵すると共に支持体５ｃによって回転可能に支持された筒状シートで構成された定着回転体５ｂと、からなり、通過する記録媒体２に熱及び圧力を印加して転写トナー像を定着する。
【００４１】
そして、このトナー像が定着された記録媒体２を排出ローラ３ｄで搬送し、反転搬送経路を通して排出部６へと排出する。
【００４２】
なお、本実施の形態では、ピックアップローラ３ｂ、圧接部材３ｃ、排出ローラ３ｄ等により搬送手段３を構成している。
【００４３】
画像形成装置本体Ａには、搬送手段３、定着手段５やプロセスカートリッジＢを駆動する為の駆動手段がある。駆動手段は駆動源としてのモーター（不図示）からの駆動力をギア列（不図示）によって各回転体を駆動する。
【００４４】
プロセスカートリッジＢへの駆動力も前述のギア列（不図示）を介して大ギアに伝えられ、この大ギアでプロセスカートリッジＢに伝達させる。大ギアとプロセスカートリッジＢの間の駆動伝達は特許０２８７５２０３号や特開平１０−２４０１０３号に記載されているカップリング手段によって行われる。
【００４５】
カップリング手段は大ギアの回転軸に同軸に形成された断面が略正３角形のねじれた穴を持つ大ギアカップリングと、感光体ドラム７の一端部に固定されたギアフランジ７ａに感光体ドラム７の回転軸と同軸で断面が略正３角形のねじれた凸で形成されたドラムカップリング７ａ１で構成される。このカップリングの結合により駆動力の伝達と大ギアと感光体ドラム７の調心、位置出しが行われる。このカップリング手段の連結、解除を行う駆動連結手段も設けられている。
【００４６】
また、図２に示すように、左右の側板４０の間には開閉カバー１５の回動中心ボス１５ａを回転可能に支持する支持穴４３ａを持つ前ガイド４３が左右の側板４０に固定されている。
【００４７】
この前ガイド４３には、内面を移動ガイド４１の内面と同じ又は近い長手位置に設定されプロセスカートリッジＢの突出部１０ｆ４の案内とプロセスカートリッジＢの長手方向位置の案内を行うサイドガイド４３ｂと、サイドガイド４３ｂより長手方向内側でプロセスカートリッジＢの脚部１０ｆ３に当接する当接リブ４３ｃと、がそれぞれ長手方向両端付近に２箇所ずつ設けられている。
【００４８】
（プロセスカートリッジ）
プロセスカートリッジは、電子写真感光体と、少なくとも１つのプロセス手段を備えたものである。ここでプロセス手段としては、例えば電子写真感光体を帯電させる帯電手段、電子写真感光体に形成された静電潜像を現像する現像手段、電子写真感光体に残留するトナーをクリーニングするためのクリーニング手段等がある。
【００４９】
本実施の形態のプロセスカートリッジＢは、図２〜図４に示すように、感光層を有する電子写真感光体である感光体ドラム７を回転し、帯電手段である帯電ローラ８へ電圧印加して感光体ドラム７の表面を一様に帯電し、この帯電した感光体ドラム７に対して光学系１からの画像情報に基づいた情報光（光像）を露光開口部９ｂを通して露光して感光体ドラム７表面に静電潜像を形成し、静電潜像を現像手段１０によって現像するように構成している。
【００５０】
現像手段１０はトナー収容部１０ａ内のトナーをトナー送り手段である回転可能な送り部材１０ｂで送り出す。そして、固定磁石１０ｃを内蔵した現像回転体（現像剤担持体）である現像ローラ１０ｄを回転させると共に、現像ブレード１０ｅによって摩擦帯電電荷を付与したトナー層を現像ローラ１０ｄの表面に形成し、そのトナーを静電潜像に応じて感光体ドラム７に転移させることによってトナー像を形成して可視像化するものである。
【００５１】
そして転写ローラ４にトナー像と逆極性の電圧を印加してトナー像を記録媒体２に転写した後は、クリーニングブレード１１ａによって感光体ドラム７に残留したトナーを掻き落とすと共に、スクイシート１１ｂによってすくい取り、除去トナー収納部１１ｃへ集めるクリーニング手段１１によって感光体ドラム７上の残留トナーを除去するように構成している。
【００５２】
本実施の形態で示すプロセスカートリッジＢは、感光体ドラム７を回転可能に支持し、クリーニング手段１１、帯電ローラ８が組み込まれたクリーニング枠体１１ｄと、現像手段１０、トナー収容部１０ａを組み込んだトナー現像枠体１０ｆとから成っている。
【００５３】
そしてトナー現像枠体１０ｆは、現像手段１０の現像ローラ１０ｄが感光体ドラム７に対し所定の間隔をあけて平行に対向できるようにクリーニング枠体１１ｄに対し回動可能に支持され、現像ローラ１０ｄと感光体ドラム７との間の間隔保持を行うスペーサ（図示せず）を現像ローラ１０ｄの両端部に配置してある。
【００５４】
トナー現像枠体１０ｆの両側面にはホルダー部材１０ｇがあり、現像ユニットをクリーニングユニットに回転可能に吊る為の結合穴が形成された吊り腕を持つ。現像ユニットとクリーニングユニットの間には間隔を保持するために所定の加圧力が与えられている。
【００５５】
プロセスカートリッジＢは、現像枠体１０ｆ１、蓋部材１０ｆ２を溶着して一体化したトナー現像枠体１０ｆと、クリーニング枠体１１ｄとを結合して構成したカートリッジ枠体ＣＦに収納してカートリッジ化されている。
【００５６】
そしてこのカートリッジ枠体ＣＦの長手方向両側面には図４、図５に示すように、電子写真画像形成装置本体（以下「画像形成装置本体」という）１４に対し矢印Ｘ方向に着脱可能に装着するための装着ガイド１８ｂと、感光体ドラム７の回転軸と同軸上に有り、画像形成装置内部の位置決め手段で支持される位置決めガイド１８ａと、が設けられている。
【００５７】
位置決めガイド１８ａは左右で直径の異なる円筒ボスである。反駆動側の位置決めガイド１８ａにはプロセスカートリッジＢの装着方向後方に伸ばした装着補助ガイドが形成され、この装着補助ガイドの後端は位置決めガイド１８ａと同軸な円弧である被付勢部１８ａ１が設けてある。
【００５８】
装着ガイド１８ｂには後述する移動ガイド４１で受けられる下面１８ｂ１と、装着ガイド１８ｂのプロセスカートリッジＢの挿入方向の先端になる先端部１８ｂ２と、が設けられている。
【００５９】
この先端部１８ｂ２は下面１８ｂ１とつながる円弧を上面とつながる円弧より大きくしてある。
【００６０】
下面１８ｂ１の挿入方向の後端角部になる後端下角部１８ｂ３では下面１８ｂ１との挟角を鋭角にした斜面部１８ｂ４が形成され、上面の挿入方向後端部は上面と直交する直交面１８ｂ５から成る。
【００６１】
装着ガイド１８ｂの後端はプロセスカートリッジの重心位置よりも後方まで設けてある。このため、装着ガイド１８ｂでプロセスカートリッジＢを支持すると常に前下がりな姿勢を維持するようにされている。本実施の形態では、装着ガイド１８ｂはクリーニング枠体１１ｄの側面で位置決めガイド１８ａの上方に設けてある。
【００６２】
また、蓋部材１０ｆ２の長手端部には、プロセスカートリッジＢを机上に安定して置けるようにする為の脚部１０ｆ３が設けてある。更に、蓋部材１０ｆ２の外側に設けられたホルダー部材１０ｇにも脚部１０ｆ３の延長形状が設けられている。
【００６３】
図５に示すように、本実施の形態のプロセスカートリッジＢの長手方向一端部を形成している、反駆動側のホルダー部材１０ｇの脚部１０ｆ３の外側に、突出部１０ｆ４を設けた。このプロセスカートリッジＢの長手方向一端部の脚部１０ｆ３と突出部１０ｆ４は、一体的に１つの突起形状に形成されている。
【００６４】
また、図５に示すように、プロセスカートリッジＢの長手方向他端部を形成している、駆動側のホルダー部材１０ｇの脚部１０ｆ３の外側に、突出部１０ｆ４を設けた。このプロセスカートリッジＢの長手方向他端部の脚部１０ｆ３と突出部１０ｆ４も、一体的に１つの突起形状に形成されている。
【００６５】
なお、本実施の形態の他の例であるが、例えば図６に示すようにプロセスカートリッジＢの長手方向他端部を形成している、駆動側のホルダー部材１０ｇの脚部１０ｆ３は、その脚部１０ｆ３の外側に隙間を隔てて突出部１０ｆ４を設け、二股形状の脚部を形成してもよい。
【００６６】
本実施の形態のプロセスカートリッジＢには、感光体ドラム７の転写ローラ４に対向する転写開口部９ａと露光開口部９ｂを一体的に覆うことができるドラムシャッター１２がクリーニング枠体１１ｄに回転可能に設けられている。
【００６７】
ドラムシャッター１２の構成を説明する。ドラムシャッター１２は、ドラム保護部１２ａ、回転軸１２ｂ、連結部１２ｃ、カム部１２ｄ、リブ１２ｅを有する。
【００６８】
ドラム保護部１２ａは感光体ドラム７が転写ローラ４と当接する転写開口部９ａを覆うことができる。
【００６９】
回転軸１２ｂはドラムシャッター１２がクリーニング枠体１１ｄの露光開口部９ｂ付近で回転可能に支持される為のものである。回転軸１２ｂには、回転軸１２ｂの両端でクリーニング枠体１１ｄと摺動する摺動部１２ｂ１と、両端の摺動部１２ｂ１をつなぐ露光開口部９ｂに掛かる部分では摺動部１２ｂ１より太い大径部１２ｂ２と、大径部１２ｂ２にドラムシャッター１２が閉じた状態のときに露光開口部９ｂを塞ぐ露光シャッター部１２ｂ３と、が設けてある。
【００７０】
連結部１２ｃはドラム保護部１２ａの両端部と回転軸１２ｂの大径部１２ｂ２の外側で両者をつなぐ左右２箇所に設けられている。
【００７１】
カム部１２ｄは回転軸１２ｂの大径部１２ｂ２の右側に配置され、プロセスカートリッジＢの上側に突出している。
【００７２】
リブ１２ｅは右側の連結部１２ｃに設けられ、ドラムシャッター１２の長手方向で外側に延びている。リブ１２ｅは固定ガイド４４のシャッターガイド４４ｃに受けられ、ドラムシャッター１２が開いた姿勢を保持する。
【００７３】
このドラムシャッター１２にはネジリコイルバネ〔不図示〕のバネ力によって、ドラムシャッター１２が感光体ドラム７を覆う方向に付勢力が加えられている。
【００７４】
これにより、プロセスカートリッジＢが装置本体より取り出されている状態では、図３の２点破線で示すようにドラムシャッター１２は感光体ドラム７の転写開口部９ａを覆い閉じた状態を維持する。また、装置本体内にあって画像形成動作可能な状態では、後述するドラムシャッター開閉手段によって回転し、図２の実線で示すように転写開口部９ａを露出させ感光体ドラム７と転写ローラ４が当接可能な姿勢をとる。
【００７５】
（プロセスカートリッジの本体への装着）
次に、装着手段としてのプロセスカートリッジ着脱機構によるプロセスカートリッジＢの挿入動作を、図７〜図１２を用いて説明する。
【００７６】
画像形成装置本体１４の開閉カバー１５を完全に開くと（全開状態）プロセスカーリッジＢを着脱する為の開口Ｗが現れる。この状態では図６に示すように、移動ガイド４１がプロセスカートリッジＢの挿入方向奥側に下がった姿勢で現れる。移動ガイド４１の挿入方向上流側には補助ガイド４２が左右に略対称に側板４０に固定されている。また、開口Ｗの下方に前述した前ガイド４３を配置している。
【００７７】
プロセスカートリッジＢには前述のようにカートリッジ枠体ＣＦの両側面に感光体ドラム７の回転軸と同軸に形成した位置決めガイド１８ａと、プロセスカートリッジの着脱方向に沿った形成をしたリブ状の装着ガイド１８ｂと、が設けられている。
【００７８】
さらにトナー現像枠体１０ｆの下面には脚（突起）部１０ｆ３が長手方向の両端付近に設けられ、更にその外側に突出部１０ｆ４を設けている。
【００７９】
このプロセスカートリッジＢを開口Ｗから挿入する際の挿入順序に沿った動作説明をする。
【００８０】
プロセスカートリッジＢの装着ガイド１８ｂを本体の補助ガイド４２で受けさせ、本体への挿入位置を決めるラフガイドの役割を果たさせる。
【００８１】
さらに、補助ガイド４２に沿って、プロセスカートリッジＢを挿入すると、図１１に示すように、前ガイド４３の長手方向両端に形成されたサイドガイド４３ｂに乗るようにしてプロセスカートリッジＢの２つの突出部１０ｆ４がサイドガイド４３ｂに当接してガイドされ、安定した姿勢で装置本体内へ挿入される。
【００８２】
その際に、前ガイド４３の長手方向両端に形成されたサイドガイド４３ｂは、プロセスカートリッジＢの挿入時に脚部１０ｆ３及び突出部１０ｆ４に突き当たらず、挿入の妨げに成らない形状に設けてガイドを行い、プロセスカートリッジＢはスムースに挿入される。
【００８３】
その後、図１２に示すように、装置本体内へ挿入されたプロセスカートリッジＢの装着ガイド１８ｂが装置本体の移動ガイド４１で受け止められる。
【００８４】
移動ガイド４１は、開閉カバー１５の開閉動作に連動して装置本体内へ移動し、プロセスカートリッジＢを装置本体内の正規装着位置へ装着する。
【００８５】
プロセスカートリッジＢの重心位置より挿入方向で後方に設定してある為に、プロセスカートリッジＢは装着完了時に挿入方向後ろ側になるトナー現像枠体１０ｆを持ち上げた姿勢をとる。
【００８６】
このため、プロセスカートリッジＢの挿入完了状態では、開口Ｗから挿入されたプロセスカートリッジＢは装着ガイドの先端部１８ｂ２の下側をガイド溝４１ａの受け面４１ａ１の奥側で支持され、装着ガイド１８ｂの後端下角部１８ｂ３は持ち上げられている。
【００８７】
本実施の形態に係るプロセスカートリッジ着脱機構における移動ガイド４１は、プロセスカートリッジＢを本体所定位置まで移動させる働きを有し、開閉カバー１５の開閉動作に連動して移動する構成である。
【００８８】
このため、移動ガイド４１の後端（開閉カバー側端面）をプロセスカートリッジＢで押せる構成であると、移動ガイド４１が画像形成装置の内部へ逃げてしまい、移動ガイドのガイド溝４１ａ内へプロセスカートリッジＢの装着ガイド１８ｂを入れることができなくなる。
【００８９】
そのために、本実施の形態では、プロセスカートリッジＢの装着方向Ｘにおいて移動ガイド４１の上流側に、側板４０に固定され、かつ移動ガイド４１後端に連なる着脱補助部４２ａを有する補助ガイド４２を設けている。この補助ガイド４２によって上述の問題が解決され、プロセスカートリッジＢの装着ガイド１８ｂは確実に移動ガイド４１のガイド溝４１ａへ案内される。
【００９０】
（ドラムシャッターの開閉機構）
ここまでプロセスカートリッジＢの挿入する様子を説明してきたが、その挿入後のドラムシャッター１２の開閉動作を以下に説明する。
【００９１】
本実施の形態では、ドラムシャッター１２の開閉動作はプロセスカートリッジＢを本体に装着する段階（図８〜図１２）では行わず、プロセスカートリッジＢが開閉カバー１５の回転に伴い本体内部を移動する段階（図１３〜図２０）で行わせる。
【００９２】
即ち、開閉カバー１５を閉じる動作によってプロセスカートリッジＢが移動する段階で、ドラムシャッター１２の開閉を行わせる。
【００９３】
開閉カバー１５の閉動作に連動してプロセスカートリッジＢが移動することにより、プロセスカートリッジＢに回転可能に支持されているドラムシャッター１２が回転し、感光体ドラム７の転写開口部９ａと露光開口部９ｂを露出してプロセスカートリッジＢを画像形成可能な状態にする。
【００９４】
具体的には、開閉カバー１５の閉動作に連動してプロセスカートリッジＢが移動すると、図１３に示すように、画像形成装置本体１４内で光学系１を載せた左右の側板間で支持される光学プレート１ｆにドラムシャッター１２のカム部１２ｄが接し、シャッターバネのバネ圧に抗いながらドラムシャッター１２を時計回りに回転させ、転写開口部９ａと露光開口部９ｂを露出させ始める。
【００９５】
開閉カバー１５の閉動作に伴いプロセスカートリッジＢが奥へ移動すると、ドラムシャッター１２のカム部１２ｄは光学プレート１ｆの角部と接した後、図１４のようにカム部１２ｄ先端の頂点部１２ｄ１を光学プレート１ｆの下面に当接させながら移動して行く。
【００９６】
プロセスカートリッジが搬送フレーム側に下がりドラムシャッター１２はその開角を大きくして行く。
【００９７】
そして、図２０に示すように、開閉カバー１５の回転に連動した移動ガイド４１の移動が開閉カバー１５の開口量がＳとなった時点で止まり、それに伴うプロセスカートリッジＢの移動が終了すると、ドラムシャッター１２は所定の開角となって、転写開口部９ａと露光開口部９ｂを露出させ、プロセスカートリッジＢを画像形成動作可能な状態にする。
【００９８】
この後に本プロセスカートリッジＢを不適正な装置本体へ挿入した時の動作及び機構を説明する。
【００９９】
（プロセスカートリッジの不適正な本体への装着）
次にプロセスカートリッジＢを画像形成スピード等の機能の異なる装置本体１１４へ挿入する際の誤挿入防止機構による誤挿入防止動作を、図２１を用いて説明する。
【０１００】
画像形成装置本体１４と機能の異なる画像形成装置本体１１４の構成は、画像形成装置本体１４とほとんど同一であり、次の構成のみが異なる。
【０１０１】
画像形成装置本体１１４は、開口Ｗの下方に配置した前ガイド４３のサイドガイド１４３ｂ形状が画像形成装置本体１４のサイドガイド４３ｂよりも大きく図２１の様に異なる。
【０１０２】
この画像形成装置本体１１４にプロセスカートリッジＢを挿入する際、プロセスカートリッジＢが所定位置に装着されるより前に、プロセスカートリッジＢの突出部１０ｆ４がサイドガイド１４３ｂに突き当たる構成となる。よって、この時点にて挿入は開口Ｗ近傍で終了する（図２１）。ここでサイドガイド１４３ｂに突き当たる突出部１０ｆ４は、長手方向両端部の２つともが突き当たる構成でもよいし、いずれか一方のみが突き当たる構成でも良く、少なくとも１つが突き当たる。
【０１０３】
（不適正なプロセスカートリッジの適正な本体への装着）
次に、画像形成装置本体１４へ不適正なプロセスカートリッジＣを装着する際の誤挿入防止動作を、図２２を用いて説明する。
【０１０４】
プロセスカートリッジＣは、突出部１０ｆ４を設けず、駆動側の脚部１０ｆ３’が脚部１０ｆ３よりも大きく二股形状でない構成である点がプロセスカートリッジＢと異なる。
【０１０５】
画像形成装置本体１４に不適正なプロセスカートリッジＣを挿入する際、プロセスカートリッジＣが所定位置に装着されるより前に、プロセスカートリッジＣの脚部１０ｆ３’が装置本体のサイドガイド４３ｂに突き当たる構成となる。よって、この時点にて挿入は開口Ｗ近傍で終了する（図２２）。
【０１０６】
また、これ以外にも、プロセスカートリッジＣには突出部１０ｆ４がなく、装置本体のサイドガイド４３ｂにガイドされないために挿入時にプロセスカートリッジＣの位置決めができない。これによって、プロセスカートリッジＣが不適正なものと認識し、挿入を開口Ｗ近傍で終了させる方法をとることもできる。
【０１０７】
上記夫々の場合、プロセスカートリッジの挿入が終了する事で不適正なプロセスカートリッジと認識できる。
【０１０８】
なお、上述した機能の異なる装置本体とは、画像形成スピードばかりでなく、プロセスカートリッジＢにはメモリが搭載され、装置本体にそのメモリ情報を伝達され受け取る事が可能な機能の有無でも良い。
【０１０９】
以上の構成により、本実施の形態によればプロセスカートリッジＢの長手端部に形成された脚部１０ｆ３の形状と、その脚部１０ｆ３の外側に突出部１０ｆ４を設ける構成により、プロセスカートリッジＢの長手方向両端部部品の変更だけで、不適装置本体への誤挿入防止（非互換）を容易に可能とする。
【０１１０】
また、不適装置本体への誤挿入の場合、装置本体開口入口近傍にて挿入が終了（誤挿入防止）し、開閉カバーが閉じない為、ユーザーに対し不適関係が早い段階で明確になり、ユーザビリティーの向上をも容易に可能とした。
【０１１１】
また、他のプロセスカートリッジの枠体構成を変える事が無くなり、Ａｓｓｙ工程の流用と梱包材の流用が容易に可能となった。
【０１１２】
【発明の効果】
以上説明したように、本発明は、複数の種類のプロセスカートリッジの少なくとも一種類以上の枠体（ケース）を共用部品として作ることができる。
【０１１３】
また、異なる仕様のプロセスカートリッジの相違構成は、プロセスカートリッジ長手方向端部に突出部を設けた構成の有無だけであり、従来構成からの流用が容易に可能である。
【０１１４】
装置本体のプロセスカートリッジ挿入に係る構成の違いは、装置本体のガイド部材形状を、夫々適正なプロセスカートリッジの装置本体への挿入を妨げない形状構成としただけであるので、夫々の装置本体に対して適正なプロセスカートリッジを装着した時のみ、何の妨げもなくスムースに所定位置へ装着することができる。
【０１１５】
また、不適正なプロセスカートリッジを装着しようとした際には、プロセスカートリッジの脚部が装置本体のガイド部材に突き当たる構成の為、そのプロセスカートリッジが誤りであると判断できる。
【０１１６】
よって、装置本体側とプロセスカートリッジ側において形状上の大きな変更を伴わずに、比較的低コストで確実なる非互換性を持たせ、開閉カバーを閉鎖状態に出来ない為、ユーザビリティーの向上をも容易に実現させることができる。
【０１１７】
換言すれば、非互換性を持たせることができ、この非互換形状で挿入ガイドをも兼ね、カートリッジの枠体（ケース）を含む部品の共有化により製造コストを削減する事ができると共に、従来のように非互換性を持たせる為の判別用センサを用いると言った余計な手段を用いる必要が無くなり、プロセスカートリッジのみならず装置本体の構造を複雑化させることが無く、この点からも製造コストを削減できると言う効果を有している。
【０１１８】
また、従来（多品種）の組立工程及び組立装置の流用が可能となり、梱包形態の流用も可能となった。
【図面の簡単な説明】
【図１】電子写真画像形成装置の概要構成を示す断面図である。
【図２】電子写真画像形成装置の開閉カバー近傍を示す斜視図である。
【図３】プロセスカートリッジの概要構成を示す断面図である。
【図４】プロセスカートリッジの斜視図である。
【図５】プロセスカートリッジの斜視図である。
【図６】他の例のプロセスカートリッジの斜視図である。
【図７】プロセスカートリッジ着脱機構の斜視図である。
【図８】図７に示すプロセスカートリッジ着脱機構へのプロセスカートリッジ挿入動作の説明図である。
【図９】図７に示すプロセスカートリッジ着脱機構へのプロセスカートリッジ挿入動作の説明図である。
【図１０】図７に示すプロセスカートリッジ着脱機構へのプロセスカートリッジ挿入動作の説明図である。
【図１１】図７に示すプロセスカートリッジ着脱機構へのプロセスカートリッジ挿入動作の説明図である。
【図１２】図７に示すプロセスカートリッジ着脱機構へのプロセスカートリッジ挿入動作の説明図である。
【図１３】開閉カバーの閉動作に連動するプロセスカートリッジの移動を示す動作説明図である。
【図１４】開閉カバーの閉動作に連動するプロセスカートリッジの移動を示す動作説明図である。
【図１５】開閉カバーの閉動作に連動するプロセスカートリッジの移動を示す動作説明図である。
【図１６】開閉カバーの閉動作に連動するプロセスカートリッジの移動を示す動作説明図である。
【図１７】開閉カバーの閉動作に連動するプロセスカートリッジの移動を示す動作説明図である。
【図１８】開閉カバーの閉動作に連動するプロセスカートリッジの移動を示す動作説明図である。
【図１９】開閉カバーの閉動作に連動するプロセスカートリッジの移動を示す動作説明図である。
【図２０】開閉カバーの閉動作に連動するプロセスカートリッジの移動を示す動作説明図である。
【図２１】実施の形態に係るプロセスカートリッジを挿入しようとした機能の異なる画像形成装置を示す主要断面図である。
【図２２】不適正なプロセスカートリッジを挿入しようとした実施の形態に係る画像形成装置を示す主要断面図である。
【符号の説明】
１　光学系
１ｆ　光学プレート
２　記録媒体
３　搬送手段
３ａ　カセット
３ｂ　ピックアップローラ
３ｃ　圧接部材
３ｄ　排出ローラ
３ｆ　搬送ガイド
４　転写ローラ
５　定着手段
５ａ　駆動ローラ
５ｂ　定着回転体
５ｃ　支持体
５ｄ　ヒータ
６　排出部
７　感光体ドラム
７ａ　ギアフランジ
７ａ１　ドラムカップリング
８　帯電ローラ
９ａ　転写開口部
９ｂ　露光開口部
１０　現像手段
１０ａ　トナー収容部
１０ｂ　送り部材
１０ｃ　固定磁石
１０ｄ　現像ローラ
１０ｅ　現像ブレード
１０ｆ　トナー現像枠体
１０ｆ１　現像枠体
１０ｆ２　蓋部材
１０ｆ３　脚部
１０ｆ４　突出部
１０ｇ　ホルダー部材
１１　クリーニング手段
１１ａ　クリーニングブレード
１１ｂ　スクイシート
１１ｃ　除去トナー収納部
１１ｄ　クリーニング枠体
１２　ドラムシャッター
１２ａ　ドラム保護部
１２ｂ　回転軸
１２ｂ１　摺動部
１２ｂ２　大径部
１２ｂ３　露光シャッター部
１２ｃ　連結部
１２ｄ　カム部
１２ｄ１　頂点部
１２ｅ　リブ
１４　画像形成装置本体
１５　開閉カバー
１５ａ　回動中心ボス
１８ａ　位置決めガイド
１８ａ１　被付勢部
１８ｂ　装着ガイド
１８ｂ１　下面
１８ｂ２　先端部
１８ｂ３　後端下角部
１８ｂ４　斜面部
１８ｂ５　直交面
４１　移動ガイド
４１ａ　ガイド溝
４１ａ１　受け面
４２　補助ガイド
４２ａ　着脱補助部
４３　前ガイド
４３ａ　支持穴
４３ｂ　サイドガイド
４３ｃ　当接リブ
４４　固定ガイド
４４ｃ　シャッターガイド
【図１】
2004125954.tif 000003
【図２】
2004125954.tif 000004
【図３】
2004125954.tif 000005
【図４】
2004125954.tif 000006
【図５】
2004125954.tif 000007
【図６】
2004125954.tif 000008
【図７】
2004125954.tif 000009
【図８】
2004125954.tif 000010
【図９】
2004125954.tif 000011
【図１０】
2004125954.tif 000012
【図１１】
2004125954.tif 000013
【図１２】
2004125954.tif 000014
【図１３】
2004125954.tif 000015
【図１４】
2004125954.tif 000016
【図１５】
2004125954.tif 000017
【図１６】
2004125954.tif 000018
【図１７】
2004125954.tif 000019
【図１８】
2004125954.tif 000020
【図１９】
2004125954.tif 000021
【図２０】
2004125954.tif 000022
【図２１】
2004125954.tif 000023
【図２２】
2004125954.tif 000024